(57)【要約】【課題】キャップの取り外しを容易にしつつ境界の封密性を高める。【解決手段】リフィル収納品１は、筆記具リフィルを封密に収納した筒状のリフィル収納容器２と、リフィル収納容器２の周面に形成される容器本体４とキャップ５との境界６を全周にわたり封密に覆うようにこれら容器本体４及びキャップ５に貼り付けられたシールラベル３とを具備する。シールラベル３はその裏面全体に接着剤が塗布されている。リフィル収納容器２に貼り付けられたシールラベル３のミシン目は境界６からわずかに離間しつつ境界６に平行に延びている。【選択図】図１
2010122514.tif 000002
【特許請求の範囲】
【請求項１】
筒状の密閉容器の周面に形成される容器本体とキャップとの境界を全周にわたり封密に覆うようにこれら容器本体及びキャップに貼り付けられるシールラベルであって、その裏面全体に接着剤が塗布されており、キャップが容器本体に対し回転されたときに破断するミシン目を設け、シールラベルが密閉容器に貼り付けられたときに境界からわずかに離間しつつ境界に平行に延びるようにミシン目が位置決めされているシールラベル。
【請求項２】
シールラベルが密閉容器に貼り付けられたときに境界の両側に位置するようにミシン目を設けた請求項１に記載のシールラベル。
【請求項３】
シールラベルが密閉容器に貼り付けられたときに境界の一側にのみ位置するようにミシン目を設けた請求項１に記載のシールラベル。
【請求項４】
筆記具リフィルを封密に収納した筒状のリフィル収納容器と、リフィル収納容器の周面に形成される容器本体とキャップとの境界を全周にわたり封密に覆うようにこれら容器本体及びキャップに貼り付けられた請求項１から３までのいずれか一項に記載のシールラベルとを具備し、リフィル収納容器に貼り付けられたシールラベルのミシン目が境界からわずかに離間しつつ境界に平行に延びているリフィル収納品。
【発明の詳細な説明】
【技術分野】
【０００１】
本発明はシールラベル及びリフィル収納品に関する。
【背景技術】
【０００２】
筒状容器の周面に形成される容器本体とキャップとの境界を全周にわたり覆うようにこれら容器本体及びキャップに貼り付けられるラベルが従来から知られている。このラベルにはミシン目が形成されており、キャップが容器本体に対し回転させられるとミシン目が破断してキャップが容器本体から取り外されるようになっている（特許文献１，２参照）。
【０００３】
この場合、ミシン目はラベルが容器に貼り付けられたときに境界に沿って、すなわち境界に一致して延びるように位置決めされるのが一般的である。
【０００４】
【特許文献１】実開平３−４５５７７号公報
【特許文献２】実用新案登録第３１３１８９１号
【発明の開示】
【発明が解決しようとする課題】
【０００５】
ところで、容器を密封容器から構成したとしても、容器本体とキャップとの境界を介して空気、水蒸気等が出入りするおそれがある。そこで、何らかの手段で境界の封密性を高めるのが好ましい。
【０００６】
しかしながら、ミシン目は複数の貫通孔を有している。したがって、上述のようにミシン目を境界に沿って延びるようにした場合には、ラベルでもって境界の封密性を高めることはできない。ミシン目を省略すれば封密性を高めることができるけれども、そうすると今度は、キャップを容器本体から取り外すのが困難になる。
【０００７】
すなわち、ミシン目を備えたラベルでもって境界の封密性を高めるという考え方はこれまで存在しないのである。
【課題を解決するための手段】
【０００８】
本発明によれば、筒状の密閉容器の周面に形成される容器本体とキャップとの境界を全周にわたり封密に覆うようにこれら容器本体及びキャップに貼り付けられるシールラベルであって、その裏面全体に接着剤が塗布されており、キャップが容器本体に対し回転されたときに破断するミシン目を設け、シールラベルが密閉容器に貼り付けられたときに境界からわずかに離間しつつ境界に平行に延びるようにミシン目が位置決めされているシールラベルが提供される。
【０００９】
また、本発明によれば、筆記具リフィルを封密に収納した筒状のリフィル収納容器と、リフィル収納容器の周面に形成される容器本体とキャップとの境界を全周にわたり封密に覆うようにこれら容器本体及びキャップに貼り付けられた請求項１から３までのいずれか一項に記載のシールラベルとを具備し、リフィル収納容器に貼り付けられたシールラベルのミシン目が境界からわずかに離間しつつ境界に平行に延びているリフィル収納品が提供される。
【発明の効果】
【００１０】
キャップの取り外しを容易にしつつ境界の封密性を高めることができる。
【発明を実施するための最良の形態】
【００１１】
以下では、密閉容器を、筆記具リフィルを封密に収納したリフィル容器から構成し、筆記具リフィルを水性ボールペン用のリフィル（以下、単にリフィルと称する。）から構成した場合を説明する。しかしながら、密閉容器を、ボールペン、万年筆、蛍光ペンといった筆記具自体を収納した容器から構成することもでき、筆記具リフィルを油性ボールペン、万年筆、蛍光ペン等のリフィルから構成することもできる。
【００１２】
図１を参照すると、リフィル収納品１は、１本のリフィルを封密に収納した筒状のリフィル収納容器２と、リフィル収納容器２の周面に貼り付けられたシールラベル３とから構成される。なお、リフィル収納容器２内に複数本のリフィルを収納するようにしてもよい。
【００１３】
リフィル収納容器２は例えば水蒸気バリア性を有するポリプロピレンのような樹脂からなり、筒状の容器本体ないし軸筒４と、容器本体４の頂部側の開口部に封密に取り付けられたキャップ５とを具備する。なお、容器本体２の底部側の開口部は尾栓によって封密に閉鎖されている。
【００１４】
このようにリフィル収納容器２を密閉容器から構成しているので、リフィルがリフィル収納容器２内に保存されている間にリフィルの水性インクが劣化するのを確実に抑制することができ、リフィルの品質低下を確実に抑制することができる。
【００１５】
図１において、６はリフィル収納容器２の周面に形成される容器本体４とキャップ５との境界を示している。
【００１６】
一方、シールラベル３は図２に示されるように長方形状をなし、例えば水蒸気バリア性を有するポリプロピレンのような樹脂からなる。また、シールラベル３には互いに平行に延びる例えば２本のミシン目７が形成されている。更に、シールラベル３はその裏面全体に接着剤が塗布されており、したがってシールラベル３全体がリフィル収納容器２の周面に貼り付けられる。
【００１７】
その上で、シールラベル３は図１に示されるように、境界６を全周にわたり覆うようにこれら容器本体４及びキャップ５に貼り付けられる。
【００１８】
この場合、ミシン目７は境界６の両側において、境界６からわずかに離間しつつ境界６に平行に延びている。すなわち、ミシン目７は境界６と重なっておらず、境界６はミシン目のないシールラベル領域でもって封密に覆われることになる。その結果、シールラベル３でもって境界６の封密性を高めることができる。
【００１９】
この点、シールラベル３がリフィル収納容器２に貼り付けられたときに境界６からわずかに離間しつつ境界６に平行に延びるように、シールラベル３においてミシン目７を位置決めしているということにもなる。
【００２０】
なお、図１に示される例では、容器本体４の外径とキャップ５の外径とがほぼ等しく設定されており、キャップ５が容器本体４に取り付けられたときに容器本体４の外周面とキャップ５の外周面とが面一になっている。その結果、シールラベル３をリフィル収納容器２に貼り付け易くなり、シールラベル３によって封密性を高め易くなっている。
【００２１】
その後、キャップ５が容器本体４に対し回転されると、ミシン目７が破断され、キャップ５が容器本体４から取り外される。
【００２２】
図２に示される例では、ミシン目７は境界６の両側に位置するように設けられる。しかしながら、図３に示されるように、境界６の一側にのみ位置するようにミシン目７を設けることもできる。
【図面の簡単な説明】
【００２３】
【図１】リフィル収納品の正面図である。
【図２】シールラベルの平面図である。
【図３】別の実施例のシールラベルの平面図である。
【符号の説明】
【００２４】
１    リフィル収納品
２    リフィル収納容器
３    シールラベル
４    容器本体
５    キャップ
６    境界
７    ミシン目
【図１】
2010122514.tif 000003
【図２】
2010122514.tif 000004
【図３】
2010122514.tif 000005